(57)【特許請求の範囲】
【請求項１】
左右平行に離間した１対の接床バーの各内側に中空支脚を立設し、前記中空支脚に昇降支脚を昇降自在に挿入し、前記昇降支脚に複数個の高低調節孔を段階状に設け、前記高低調節孔の所望孔に固定用ねじを介して前記昇降支脚を前記中空支脚に固定し、前記各昇降支脚の内側に座板用フレームを固定し、しかも前記接床バー、前記中空支脚および前記昇降支脚が断面小判形のスチールパイプであり、前記各接床バーの内向平面に前記中空支脚の外向平面の下端部を溶接し、前記中空支脚を垂直に立設し、前記高低調節孔を前記昇降支脚の後側に穿ち、前記中空支脚の上部後側に固定用ねじの挿通孔を穿ち、前記挿通孔に連通するナットを前記中空支脚に固着し、段付ピンの後部大径部におねじを螺設した前記固定用ねじの残部小径部を前記ナット、前記挿通孔および前記所望孔に貫通するとともに前記おねじを前記ナットに螺着し、前記固定用ねじで前記昇降支脚を前記中空支脚に押圧固定することを特徴とする子供椅子用構造体。
【発明の詳細な説明】
【技術分野】
【０００１】
本発明は椅子、特に幼稚園、保育所等の子供用施設で使用される椅子に関する。
【背景技術】
【０００２】
従来から高低調節可能な子供用椅子として図６、７に示すものが知られている。
【０００３】
これは接床バー１'の上面に断面コ字状の薄板製のチャンネル２'を立設し、座板用フレーム７'の外側に側面視漏斗状の薄板からなる昇降脚３'を取り付け、昇降脚３'の中央長手方向を断面コ字状に突き出して凸条３"を形成し、この凸条３"に複数個の高低調節孔４'、４'、４'・・・を段階状に設け、凸条３"をチャンネル２'に昇降自在に外嵌し、２ケ所の高低調節孔とチャンネル２'に螺設したねじ４ａ'とを適宜合致させ、ボルト５'締めしている。
【０００４】
この従来例はチャンネル２'が接床バー１'の上面に立設しているため複数個の同種の椅子を積み重ねることができない。このため子供用施設での保管に広い面積を必要とし、またチャンネル２'および昇降脚３'とも薄いスチール板で堅牢性が小さく、そのため凸条３"を突き出したり、全体を漏斗状にするなど構造が複雑になり、しかも見た目にも堅牢性の点で問題がある。
【発明の開示】
【発明が解決しようとする課題】
【０００５】
本発明は２才児から６才児までという現在の広範囲に渡る子供達に大きさの異なる多種類の椅子を提供するような無駄をなくし、１種類で足りるように椅子脚の高低調節を自在とし、しかも高低調節自在であるにもかかわらず、複数個の椅子を積み重ねることができるようにし、その結果広い保管場所が必要でなく、省スペースですみ、またより堅牢性の大きい子供椅子を提供することを課題とする。さらに１本のねじを螺動するだけという簡単な作業で迅速に椅子脚を所定の高さ位置に固定することができるようにすることを課題にする。
【課題を解決するための手段】
【０００６】
本発明は左右平行に離間した１対の接床バーの各内側に中空支脚を立設し、前記中空支脚に昇降支脚を昇降自在に挿入し、前記昇降支脚に複数個の高低調節孔を段階状に設け、前記高低調節孔の所望孔に固定用ねじを介して前記昇降支脚を前記中空支脚に固定し、前記各昇降支脚の内側に座板用フレームを固定し、しかも前記接床バー、前記中空支脚および前記昇降支脚が断面小判形のスチールパイプであり、前記各接床バーの内向平面に前記中空支脚の外向平面の下端部を溶接し、前記中空支脚を垂直に立設し、前記高低調節孔を前記昇降支脚の後側に穿ち、前記中空支脚の上部後側に固定用ねじの挿通孔を穿ち、前記挿通孔に連通するナットを前記中空支脚に固着し、段付ピンの後部大径部におねじを螺設した前記固定用ねじの残部小径部を前記ナット、前記挿通孔および前記所望孔に貫通するとともに前記おねじを前記ナットに螺着し、前記固定用ねじで前記昇降支脚を前記中空支脚に押圧固定することを特徴とするものである。
【発明の効果】
【０００７】
本発明は２才児から６才児までという現在の広範囲に渡る子供達に大きさの異なる多種類の椅子を提供するような無駄をなくし、１種類で足りるように椅子脚の高低調節を自在とし、しかも接床バーの内側に中空支脚を立設し、昇降支脚の内側に座板用フレームを固定するので、複数個の椅子を積み重ねることができ、その結果、広い保管場所が必要でなく、省スペースですみ、また堅牢性の大きい子供椅子を提供することができる。さらに１本のねじを螺動するだけという簡単な作業で迅速に椅子脚を所定の高さ位置に固定することができる。
【発明を実施するための最良の形態】
【０００８】
図１〜５により本発明の形態を説明する。
【０００９】
スチールパイプ製で、しかも断面小判形の接床バー１、１を１対、それぞれ上下に突弧面１０、１０'を位置させるとともに左右平行に離間する。スチールパイプ製で、しかも断面小判形の各中空支脚２の突弧面２０、２０'を前後にし、各接床バー１の内向平面１１に中空支脚２の外向平面２１の下端部を溶接し、中空支脚２を垂直に立設する。
【００１０】
各中空支脚２の後部突弧面２０'の上部にボス９０を溶接し、図３で示すようにこのボス９０にめねじ孔９１を螺設してナット９を形成し、中空支脚２にめねじ孔９１に対応する固定用ねじ５の挿通孔８を穿つ。
【００１１】
中空支脚２より小径の断面小判形のスチールパイプにより昇降支脚３を形成し、各中空支脚２に昇降支脚３を昇降自在に挿入する。
【００１２】
各昇降支脚３の後突弧面３０には固定用ねじ５が挿通する複数個（本図例では６個）の高低調節孔４、４、４・・・を段階状に穿つ。
【００１３】
図１で示すように断面正円の１本のスチールパイプを上方に行くに従って後傾する正面視コ字状の背板用フレーム７０を形成し、背面板用フレーム７０の両下方を前方に折り曲げて左右１対の座板用フレーム７、７を水平に突出させる。
【００１４】
各座板用フレーム７の外向側を各昇降支脚３の上方内向面３１に溶接し、１対の中空支脚２、２の各下方内向面に断面小判形のスチールパイプにより形成した補強ビーム２４端を溶接する。
【００１５】
図３で示す段付ピン５０の後端大径部５１におねじ５２を螺設した固定用ねじ５、具体的には剣先ねじの残部小径部５３をめねじ孔９１、挿通孔８および高低調節孔４、４、４・・・のうち所望の高さ位置の所望孔４ａに貫通するとともに周知のＬ字工具Ｃでおねじ５２をめねじ孔９１に螺動し、剣先ねじの先端で昇降支脚３を中空支脚２の中空内面２５に強く押圧して固定する。
【００１６】
本発明の椅子脚の高低調節をしたい場合には、昇降支脚３を所望により昇降し、前記固定用ねじ５による押圧作業をすればよいことは勿論である。なお図中符号７１、３１、２６、１２、１２'は各座板用フレーム７、昇降支脚３、中空支脚２、接床バー１の各開口端を塞ぐプラスチック製のキャップであり、キャップ１２、１２'を接床バー１より僅かに下方に突出させる。
【００１７】
また中空支脚２の上端開口部にはプラスチック製のリング２７を嵌合してある。さらに図中符号１３は後述する本発明の椅子を積み重ねた場合に接床バー１を水平に載置できるようにしたプラスチック製の小片であり、試作の段階では必ずしもこの小片がなくても安全に積み重ねることができたことを視認したものである。
【００１８】
そして座板用フレーム７、７に座板６、６を、また背面用フレーム７０、７０に背もたれ板７３、７３を固定して椅子とする。
【００１９】
椅子脚の高低調節については既述のとおりであるので、次に本発明により作られた椅子の積み重ね状態を説明すれば、図４、５で示すように従来例のように支脚が接地バーの上に突設されているのではなく、各中空支脚２が各接床バー１の各内側に立設されており、しかも昇降支脚の内側に座板用フレームが固定されているので、最下位置の接床バー１上に２段目の接床バー１を、その上に３段目の接床バー１を載置（具体的には本実施の形態ではキャップ１２'と小片１３が下段の接床バー１上に載置）できるものである。
【図面の簡単な説明】
【００２０】
【図１】本発明の第１の形態を最下位置にした状態の斜視図である。
【図２】同上において最上位置にした状態の斜視図である。
【図３】Ａ−Ａ拡大端面図である。
【図４】同上の椅子を複数個、積み重ねた状態の斜視図である。
【図５】同上の側面図である。
【図６】従来例の斜視図である。
【図７】Ｂ−Ｂ拡大断面図である。
【符号の説明】
【００２１】
１  接床バー
２  中空支脚
３  昇降支脚
４  高低調節孔
４ａ  所望孔
５  固定用ねじ
６  座板
７  座板用フレーム
８  挿通孔
９  ナット
５０  段付ピン
５１  後部大径部
５２  おねじ
５３  残部小径部
７０  背板用フレーム
【図１】
0004924965.tif 000002
【図２】
0004924965.tif 000003
【図３】
0004924965.tif 000004
【図４】
0004924965.tif 000005
【図５】
0004924965.tif 000006
【図６】
0004924965.tif 000007
【図７】
0004924965.tif 000008